(57)【特許請求の範囲】
【請求項１】
ケース枠体とその前面を覆うカバー体とを合体させることで球通路が形成されるケース体と、前記ケース体内に設けられ電気的駆動源の作動によって前記球通路に出没動してパチンコ球の流下を制止し得る球停留手段とを設けてなるパチンコ機の球払出装置において、
前記球通路は、緩やかな下傾状に形成された供給通路部と、該供給通路部の下端に鉛直状に形成された払出通路部とからなり、
前記供給通路部の内側の側壁には、凸部を設けると共に該凸部の対向する位置に凹部を設けて該供給通路部を蛇行状に形成し、
前記球停留手段は、前記払出通路部でパチンコ球の流下を制止し得るようになっていることを特徴とするパチンコ機の払出装置。
【発明の詳細な説明】
【０００１】
本発明は、パチンコ機やそれに付随する球貸出装置に設けられる球払出装置の構造に関するものである。
【０００２】
【従来の技術】
パチンコ機の球払出装置は、最先のパチンコ球を制御する球停留手段を備えており、該球停留手段を作動することにより、球タンクに貯留されるパチンコ球をパチンコ機の前面側に設けた上部球受皿に導く球排出樋に払出し、該上部球受皿の余剰球は、余剰球排出樋を介して下部球受皿に貯留される。球払出装置は例えばモータによって払出ロータを回転させる構造のものの他、特開平５ー１１５５９９に示されたように、パチンコ球が自重により流下する傾斜樋にソレノイドによって爪片を出没動させる球停留手段を設けた構造のものが知られている。
【０００３】
【発明が解決しようとする課題】
ところで上記のような球停留手段を設けた球払出装置では、数珠状に連なるパチンコ球の荷重が支持部に掛かるために、支持部を出没動させるソレノイドに大きな負荷が掛かるので、迅速な球きり作動を不安定にする欠点があった。そのためにパチンコ球の流下樋をＳ字状等に屈曲させて球圧を下げることもなされていたが十分な効果は得られていない。
【０００４】
本発明は上記した問題に鑑みてなされたもので、その目的とするところは、  常に爪片がスムーズに出没動し安定した作動が実現される球払出装置を提供することにある。
【０００５】
【課題を解決するための手段】
上記目的を達成するために、請求項１記載の発明は、パチンコ球が整列状にて流下する球通路に出没動することでパチンコ球の流下を制止し得る球停留手段を設けてなるパチンコ機の球払出装置において、前記球通路の内側に凸部を設けると共に、該凸部の相対する側に凹部を設け、球通路を蛇行状に形成したことを特徴とする。
【０００６】
また、請求項２記載の発明は、請求項１記載の発明において、前記凹凸部はパチンコ球の流下を制止し得る球停留手段の上流側に設けたことを特徴とする。
【０００７】
また、請求項３記載の発明は、請求項１または２記載の発明において、前記凸部は球停留手段によって連続して制止するパチンコ球間に位置することを特徴とする。
【０００８】
また、請求項４記載の発明は、請求項１，２または３記載の発明において、前記球通路を傾斜状にしたことを特徴とする。
【０００９】
また、前記球通路に停留するパチンコ球は、球通路にほぼ直線状に停留するようにするのが好ましい。
【００１０】
上記構成により、球通路を流下するパチンコ球の流勢を弱めることができ、球停留手段に負担を掛けることなく確実にパチンコ球を払出すことができる。
【００１１】
【発明の実施の形態】
次に、本発明に係るパチンコ機の実施の形態を図面を参照して説明する。図１は本発明が適用されるパチンコ機の正面図、図２はその裏面図である。図１において、１はパチンコ機の前面枠、２は前面枠１の裏面に着脱自在に取付けられる遊技盤である。前記前面枠１には、遊技盤２の前面および下部を覆うガラス扉枠３および前面板４が開閉自在に装着される。そして、前面板４の前面に打球を供給する上部球受皿５が装着され、前面枠１の下部には上部球受皿５の余剰球を貯留する下部球受皿６と操作ハンドル７が装着されている。
【００１２】
前記遊技盤２の裏面には合成樹脂製の機構板８が装着されており、該機構板８の裏面上部には球タンク９が固着されている。また、球タンク９の下方にはパチンコ球を整列して導き出すタンクレール１０とカーブレール１１が配設され、その下流端に球払出装置１２が接続される。
【００１３】
前記球払出装置１２の下方には、該球払出装置１２から払出されたパチンコ球を球導出路１３を介して前記上部球受皿５に導く球排出樋１４と上部球受皿５の余剰球を流下樋１５を介して下部球受皿６に導く余剰球排出樋１６が後面開放した樋状に形成され、開放側を裏カバー１７で閉塞している。１８は、球排出樋１４に設けられ、球払出装置１２から払出されたパチンコ球が衝突して音を出す鈴である。
【００１４】
前記球払出装置１２は、図３および図４に示すように、ケース体２０と最先のパチンコ球を停留する球停留装置２１とからなり、ケース体２０は前記カーブレール１１と連通する球通路２２を有するケース枠体２０ａとその前面を覆うカバー体２０ｂとで構成され、前記球通路２２は緩やかな下傾状に形成された供給通路部２２ａの下端に下向きに急カーブする屈折部２３を介して鉛直な払出通路部２２ｂとで構成される。
【００１５】
前記球停留装置２１は、作動体２５と該作動体２５をリンク部材２６を介して作動させる電気的駆動源としてのソレノイド２７とからなる。前記作動体２５は、払出通路部２２ｂの内周側に支軸２８により揺動自在に軸支され、球通路２２に進退する支持部２９が嘴状に先細テーパー状に尖っており、該支持部２９の上面が支軸２８を中心とする円弧面状に形成されている。そして該作動体２５の基部に長孔３０を設け、該長孔３０にリンク部材２６に形成した係合ピン３１を係合させている。リンク部材２６は、全体形状をく字状に形成し、作動体２５の下方に位置して軸３２により回動自在に軸着され、後端に二股状の係合部３３が形成されており、ソレノイド２７のプランジャー３４に固着された操作体３５の突片３６を係合させている。そして、ソレノイド２７が励磁作動するとリンク部材２６を介して作動体２５が支軸２８を支点として反復回転し、先端支持部２９が球通路２２の内周壁に開設された窓孔３７より球通路２２に出没動することで、供給通路部２２ａの最先パチンコ球の流下を制止し得るように構成している。なお、前記係合ピン３１は、中空軸状に形成すると共に、該係合ピン３１の基部にアールを持たせて補強して、激しい動作頻度に耐えるようにしている。３８は作動体２５の回動規制部であり、３９は操作体３５の摺動を規制するガイドリブである。なお、前記長孔３０はクリアランス分を含む係合ピン３１より大径な透孔であってもよい。
【００１６】
また、４０は投光器４０ａと受光器４０ｂとからなる光学式の球計数用センサ、４１は該センサ４０を支持しているコ字状取付枠で、該センサ４０は該取付枠４１によって支持部２９により支持されるパチンコ球の僅かに下流位置で、しかも球通路２２の中心線からずれた位置でその光軸が交差するように配置される。
そして該支持部２９による制止が開放された直後のパチンコ球が光軸を遮ることで該パチンコ球を検知し得るように配置される。言い換えれば、支持部２９により制止されているパチンコ球は光軸を遮断することなく未だ検知されない状態にある。４２はセンサ４０を囲う遮蔽板であり、断面コ字型で平行な二片の両先端縁に係止孔４３，４３が設けられており、前記ケース体２０に設けられた爪部４４，４４に遮蔽板４２の弾性を利用して係合することにより取付けることができる。この際、遮蔽板４２がケース枠体２０ａとカバー体２０ｂとに跨って取付けられることにより、ビスを用いることなく同時に球払出装置１２の組立が可能となる。なお、この実施形態では球計数用センサについては光学式のものを説明するが、電磁式，静電容量式等、その他の検知形式のセンサを使用することもできる。
【００１７】
しかして、前記供給通路部２２ａは図６に示すように通路内側壁に約４０度のテーパー面４６ａを有する三角形状の凸部４６が設けると共に、該凸部４６に対向位置して凹部４７を設けてパチンコ球が蛇行状に流下するように形成している。前記凸部４６は、前記作動体２５の支持部２９によって連続して制止するパチンコ球間に位置して、高さはパチンコ球の径のほぼ半球以下が選ばれ、供給通路部２２ａにパチンコ球が連続して制止している状態では、パチンコ球がほぼ直線状に制止している。なお、図６に示すように前記凸部４６の上流側に接触しているパチンコ球とその後続のパチンコ球は、前記凸部４６を設けた側の側壁の段差４８によって球心位置をずらしている。また、図５に示すように前記屈折部２３の外周壁内面には４５度程度の所定の伏角にて俯き状なる傾斜平面２３ａが形成され、該傾斜平面２３ａの下端に垂直面２３ｂが連続する。
【００１８】
上記のように構成されるパチンコ機の球払出装置１２は、球払出制御装置からの指令によりソレノイド２７が励磁されることで、図５鎖線に示したように作動体２５の支持部２９が窓孔３７から没してパチンコ球が制止されなくなることで自重により該パチンコ球が払出通路２２ｂを介して球排出樋１４に払出され、球計数用センサ４０が所定数のパチンコ球を検出したところで球払出制御装置から再び指令が出て作動体２５の支持部２９が突出することでパチンコ球の払出しが停止する。そして、球排出樋１４に払出されたパチンコ球は、球導出路１３を介して上部球受皿５に導かれる。
【００１９】
この球払出装置１２では、緩傾斜状の供給通路部２２ａを連なって流下して来るパチンコ球は、図６鎖線に示すように凸部４６のテーパー面４６ａにより凹部４７に迂回して流下する。また、前記凸部４６の上流側に接触しているパチンコ球には側壁の段差４８によって後続のパチンコ球の球心位置が凹部４７側ずれているため、凹部４７に向かう球圧が弱められている。このように、従来のようにＳ字状に屈曲させることなく、コンパクトでありながら確実に流勢を弱めることができる。
【００２０】
そして、さらに緩傾斜状の供給通路部２２ａを連なって流下して来るパチンコ球の圧力は、まず凸部４６のテーパー面４６ａに掛かり傾斜平面２３ａや垂直面２３ｂに掛かる。そして、作動体２５の支持部２９は供給通路部２２ａの底面の略延長線方向に沿って出没動するので、その出没動に対してその圧力が抵抗になることなく該作動体２５の出没動に大きな負荷を与えない。このため該作動体２５の動きを常にスムーズにすることができる。
【００２１】
さらに、この球払出装置１２では、緩傾斜の供給通路部２２ａ下端に下向きに急カーブする屈折部２３を介して鉛直な払出通路部２２ｂを形成しているので、該供給通路部２２ａを流下するパチンコ球が垂直面２３ｂに衝突し、この屈折部２３を通過することによって流下速度が減速されるので、球計数用センサ４０の光軸を一定速度以上で過ぎることがなくなり検出ミスが起き難くなる。
【００２２】
また、屈折部２３の外周壁内面に所定の伏角にて俯き状なる傾斜平面２３ａを形成したことにより、供給通路部２２ａを流下するパチンコ球は該傾斜平面２３ａに激突して下向きに転向されるようになり、パチンコ球の速度がより効果的に減速される。このため検出ミスを一層起き難くできる。なお、仮にこの屈折部２３の外周壁内面が円弧面状に形成されていた場合は、パチンコ球がその円弧面に接しながら徐々に転向するので球速度はさほど減殺されなくなる。これに対して傾斜平面２３ａを形成した場合は、高速度のパチンコ球は該傾斜平面２３ａに激突して跳ね返るようになるので大幅に減速できる。
【００２３】
また、図５に示したように支持部２９により支持されたパチンコ球は球計数用センサ４０によって未だ検出されていないので、該支持部２６に当たってパチンコ球が跳ねたとしても、該パチンコ球が該球計数用センサ４０によりダブって検知されるおそれがない。また、光軸を払出通路部２２ｂの中心線からずれた位置で交差するように配置したことによって、多数のパチンコ球が該球通路２２を隙間なく連なって流落しても各パチンコ球間に光が通過し得る間隔ができ、流落するパチンコ球数を間違いなく確実に計数できるようになる。
【００２４】
なお、前記供給通路部２２ａは傾斜状に限定されることなく垂直状に形成してもよい。また、払出通路部２２ｂに凹凸部４６，４７を設けることにより、払出されるパチンコ球の流勢を弱め、球排出樋１４の鈴１８や球導出路１３の破損磨耗を防ぐことができる。さらに、上記実施の形態において、球払出装置１２を電気的駆動源としてのソレノイド２７を使用したものとして説明したが、これに限られることはなく、球停留手段２１を備える全ての球払出装置にも適用可能である。
【００２５】
【発明の効果】
以上、説明したところから明らかなように、本発明に係るパチンコ機の球払出装置は、球通路に凹凸部を形成することで、コンパクトでしかも球停留手段へ掛かる球圧力が大幅に軽減され常に安定した作動が実現されて確実なパチンコ球の払出しが可能となる利点がある。また、払出通路部に凹凸部を設けることにより、払出されるパチンコ球の流勢を弱め、球排出樋の鈴や球導出路の破損磨耗を防ぐことができる。
【図面の簡単な説明】
【図１】本発明が適用されるパチンコ機の正面図である。
【図２】パチンコ機の裏面図である。
【図３】球払出装置の斜視図である。
【図４】球払出装置の分解斜視図である。
【図５】球払出装置部分の要部正面断面図である。
【図６】球払出装置の平面断面図である。
【符号の説明】
１２        球払出装置
２１        球停留手段
２２        球通路
２２ａ      供給通路部
２２ｂ      払出通路部
２５        作動体（球停留手段）
２７        ソレノイド（球停留手段）
４６        凸部
４７        凹部
【図１】
0004551518.tif 000002
【図２】
0004551518.tif 000003
【図３】
0004551518.tif 000004
【図４】
0004551518.tif 000005
【図５】
0004551518.tif 000006
【図６】
0004551518.tif 000007